(57)【要約】【課題】エアコン取り付け時において、配管を壁面中に埋め込む必要がある場合に、煩雑な作業を必要とせず、比較的短時間で適切にエアコンを取り付け可能な、エアコン取付装置を提供することを課題とする。【解決手段】本発明は、エアコンを取り付けるために壁面に設置可能なエアコン取付装置１であって、前記壁面に固定可能な壁面固定部１０と、前記エアコンが着脱可能であると共に、前記壁面固定部１０に対して回動可能に構成されたエアコン取付部３０とを備え、前記壁面に固定された前記壁面固定部１０の屋内側には、凹部領域１０Ａが設けられており、前記エアコン取付部３０の外形が、前記凹部領域１０Ａに収納可能な形状であって、前記エアコン取付部３０が面一状態で前記壁面固定部１０に収納されることを特徴としている。【選択図】図１
2011033248.tif 000002
【特許請求の範囲】
【請求項１】
エアコンを取り付けるために壁面に設置可能なエアコン取付装置であって、
前記壁面に固定可能な壁面固定部と、
前記エアコンが着脱可能であると共に、前記壁面固定部に対して回動可能に構成されたエアコン取付部とを備えた
ことを特徴とするエアコン取付装置。
【請求項２】
エアコンを取り付けるために壁面に設置可能なエアコン取付装置であって、
前記壁面に固定可能な壁面固定部と、
前記エアコンが着脱可能であると共に、前記壁面固定部に対して回動可能に構成されたエアコン取付部とを備え、
前記壁面に固定された前記壁面固定部の屋内側には、凹部領域が設けられており、前記エアコン取付部の外形が、前記凹部領域に収納可能な形状であって、前記エアコン取付部が面一状態で前記壁面固定部に収納される
ことを特徴とするエアコン取付装置。
【請求項３】
前記壁面固定部には、前記壁面内に設けられた配管や電気配線等に連通可能な固定部側開口部が形成されており、前記エアコン取付部には、前記エアコンに設けられた配管や電気配線等を挿入可能な取付部側開口部が形成されている
請求項１または２に記載のエアコン取付装置。
【請求項４】
前記エアコン取付部の一辺部に略平行に設けられた軸状支持部材を用いて、前記エアコン取付部が、前記壁面固定部に対して回動可能に取り付けられている
請求項１から３のいずれか１項に記載のエアコン取付装置。
【請求項５】
エアコンを取り付ける際のエアコン取付方法であって、
請求項１から４のいずれか１項に記載のエアコン取付装置を壁面に取り付ける工程と、
前記エアコン取付装置に前記エアコンを取り付ける工程とを備えた
ことを特徴とするエアコン取付方法。
【発明の詳細な説明】
【技術分野】
【０００１】
本発明は、エアコンを取り付ける際に用いられる、エアコン取付装置およびエアコン取付方法に関するものである。具体的には、本発明は、壁面に取り付け可能であって、壁面に取り付けた状態で、エアコンを容易に着脱可能に構成されたエアコン取付装置、およびこのエアコン取付装置を用いたエアコン取付方法に関するものである。
【背景技術】
【０００２】
一般家庭においては、室内機と室外機とを用いて構成されるエアコンが多用され、室内機と室外機とがそれぞれ適切な位置に配設されている。
【０００３】
より具体的には、温度を制御したい部屋あるいは領域の所定壁面に設置された室内機と、外部（室外）の所定位置に設置された室外機と、これらの室内機と室外機とを接続すべく設けられた冷媒配管等からなる接続配管部とを用いて、エアコンが構成されている。従来技術にかかるエアコンにおいては、室内機と室外機とで適切な冷凍サイクルが形成される。
【０００４】
上述したように、一般家庭において使用されるエアコンは、通常、接続配管部を介して室内機と室外機とが接続されている。したがって、従来技術にかかるエアコンを設置するためには、室内機が設置される壁面（あるいはその近傍の壁面）に、室内と室外とを連通させて接続配管部を挿入可能な、貫通孔を設ける必要がある。
【０００５】
つまり、従来技術にかかるエアコン（室内機と室外機とを有するエアコン）を設置する場合には、上述したように、家屋を構成する壁面に貫通孔を穿孔する作業が必要となる。また、従来技術にかかるエアコンを設置する場合には、この壁面に対する穿孔作業の他にも、配管埋め込み施工や壁面（壁紙）の美観修復施工等も必要となる。
【０００６】
上述した状況の中、従来技術にかかるエアコンの設置技術（取付技術）としては、例えば、特許文献１に示す技術が知られている。（特許文献１参照）
【先行技術文献】
【特許文献】
【０００７】
【特許文献１】実用新案登録第３１３４３３４号公報
【発明の概要】
【発明が解決しようとする課題】
【０００８】
さて、上述したように、一般家庭において多用されている従来技術にかかるエアコンは、通常、室内機と室外機とを有するため、以下の問題等が存在する。
【０００９】
まず、従来技術にかかるエアコンを設置する場合には、家屋を構成する壁面に（仕上げられた完成壁面に）貫通孔を穿孔しなければならないため、貫通孔穿孔作業という煩雑な作業が必要となる。この貫通孔穿孔作業は、壁面に埋設された電気配線等に配慮しながら、家屋の室内外における高所での作業となるため、足場の確保等が必要となり、困難な作業となる場合が多い。
【００１０】
また、従来技術にかかるエアコンを設置する場合には、穿孔された上記貫通孔を介して室内機と室外機とを連通接続させる必要があるため、貫通孔およびその周辺における接続配管部の埋め込み施工等の煩雑な作業が必要となる。
【００１１】
さらに、従来技術にかかるエアコンを設置する際には、通常、完成された家屋の壁面（仕上がり後の壁面）に設置する必要があるため、室内機設置後、室内機を設置した壁面の壁紙およびその周辺の壁紙について、美観修復作業等を行わなければならない場合がある。
【００１２】
また、従来技術にかかるエアコンは、上述したように、壁面に貫通孔を穿孔し、その貫通孔の近傍の壁面に直接的に設置されるため、エアコン（特に室内機）の修理等を行う場合には、その設置された壁面から室内機を取り外す必要がある。つまり、室内機の状態、接続配管部の状態、あるいは室内機と接続配管部との接続状況等を確認したり修理したりするためには、その都度、室内機の着脱作業という煩雑な作業を行わなければならない。加えて、従来技術にて設置された室内機の場合、排水詰まりや、配管接続部からの冷媒ガスリーク修理が非常に困難である。このような室内機の着脱作業を含めた種々の修理・確認作業等は、エアコン（室内機等）自身にも壁面（特に壁紙）にもストレスをかける作業であるため、その後、エアコンの調整作業や壁面の美観修復作業等が必要になる。
【００１３】
さらに、従来技術においては、壁面の壁紙の張り替え作業等が必要となった場合、室内機を取り付けた状態のままで、作業が行われる場合が多い。しかしながら、このように室内機を取り付けた状態のままでは、その張り替え作業が困難であると共に、良好な仕上がりを得ることができないという問題があった。
【００１４】
また、従来技術にかかるエアコンは、室内機と室外機とを連通接続させる必要があるため、家屋を構成する壁面の中でも、室外に隣接した壁面に室内機を設ける構成とするのが一般的である。つまり、従来技術においては、マンション等を含めた家屋の中部屋を構成する壁面（室外に隣接しない壁面）については、エアコン（室内機）を設置することが困難であるという問題があった。
【００１５】
さらに、従来技術にかかるエアコンは、上述したように、家屋壁面の貫通孔穿孔作業にはじまって、壁紙等の美観修復作業等まで、種々の煩雑な作業が必要となるため、その取り付け作業等に多くの時間を要するという問題があった。
【００１６】
そこで、本発明は、上記従来技術の問題を解決するためになされたものであって、エアコン取り付け時において、配管を壁面中に埋め込む必要がある場合に、煩雑な作業を必要とせず、比較的短時間で適切にエアコンを取り付け可能な、エアコン取付装置を提供することを課題とする。
また、本発明は、上記従来技術の問題を解決するためになされたものであって、家屋の中部屋を構成する壁面（室外に隣接しない壁面）に対して容易にエアコンを取り付け可能な、エアコン取付装置を提供することを課題とする。
さらに、本発明は、上記従来技術の問題を解決するためになされたものであって、エアコン取り付け後において、室内機等の修理や壁紙の張り替え作業等を容易に行うことが可能である、エアコン取付装置を提供することを課題とする。
また、本発明は、上記従来技術の問題を解決するためになされたものであって、エアコン取り付け時において、煩雑な作業である貫通孔穿孔作業や接続配管部の埋め込み作業や美観修復作業等を必要とせず、比較的短時間で適切にエアコンを取り付け可能な、エアコン取付方法を提供することを課題とする。
【課題を解決するための手段】
【００１７】
本発明の第一態様は、上記課題を解決するためになされたものであり、エアコンを取り付けるために壁面に設置可能なエアコン取付装置であって、前記壁面に固定可能な壁面固定部と、前記エアコンが着脱可能であると共に、前記壁面固定部に対して回動可能に構成されたエアコン取付部とを備えたことを特徴としている。
【００１８】
このような構成によれば、前記エアコン取付部が前記壁面固定部に回動可能に構成されているため、前記エアコン取付装置（を構成する前記エアコン取付部）にエアコン（の室内機）を取り付けた後であっても、前記エアコンを取り付けた状態で前記エアコン取付部を回動させることによって、室内機の状態、接続配管部の状態、あるいは室内機と接続配管部との接続状況等を確認したり修理したりすることができる。つまり、本発明にかかるエアコン取付装置によれば、上記修理等を行う際において、室内機の着脱作業等の煩雑な作業が不要となる。
また、本発明によれば、エアコン取り付けの際に、直接的に壁面に室内機を取り付けるわけではなく、前記エアコン取付装置を介して、室内機が取り付けられる。つまり、このような構成によれば、事前に取り付けられた前記エアコン取付装置を介して室内機が取り付けられるため、室内機取り付け後、室内機を設置した壁面の壁紙およびその周辺の壁紙について、特に美観修復作業等を行う必要がない。
さらに、壁紙の張り替え作業が必要となった場合でも、本発明によれば、壁面に設けられたエアコン取付装置を介して室内機が取り付けられているため、従来のように壁面に直接的に室内機が取り付けられた場合よりも、比較的容易に壁紙の張り替え作業等を行うことができ、その仕上がり状態も従来よりも良好となる。
【００１９】
また、本発明の第二態様は、上記課題を解決するためになされたものであり、エアコンを取り付けるために壁面に設置可能なエアコン取付装置であって、前記壁面に固定可能な壁面固定部と、前記エアコンが着脱可能であると共に、前記壁面固定部に対して回動可能に構成されたエアコン取付部とを備え、前記壁面に固定された前記壁面固定部の屋内側には、凹部領域が設けられており、前記エアコン取付部の外形が、前記凹部領域に収納可能な形状であって、前記エアコン取付部が面一状態で前記壁面固定部に収納されることを特徴としている。
【００２０】
このような構成によれば、上述した前記第一態様にかかるエアコン取付装置と同様の作用効果を得ることが可能であると共に、次のような作用効果を得ることができる。
この第二態様にかかるエアコン取付装置によれば、前記壁面固定部の前記凹部領域内に前記エアコン取付部が面一状態で収納可能であるため、前記エアコンの取り付け状態に関わらず（室内機の取り付けの有無に関わらず）、前記壁面およびその周辺を美観状態を良好に保つことができる。
【００２１】
また、本発明の第三態様は、前記第一態様あるいは前記第二態様にかかるエアコン取付装置において、前記壁面固定部には、前記壁面内に設けられた配管や電気配線等に連通可能な固定部側開口部が形成されており、前記エアコン取付部には、前記エアコンに設けられた配管や電気配線等を挿入可能な取付部側開口部が形成されている構成が好ましい。
【００２２】
この好ましい構成によれば、前記第一態様あるいは前記第二態様の作用効果に加え、次のような作用効果を得ることができる。
すなわち、このような構成によれば、新築時あるいは改築時、エアコンの取り付け予定位置に、配管等の事前埋め込みと共に前記エアコン取付装置の設置を行えば、前記壁面固定部および前記エアコン取付部には、それぞれ開口部（固定部側開口部、取付部側開口部）が設けられているため、エアコン設置時において、室内機等の種々の機器の取り付けが簡単にでき、事前埋め込み去れた配管設備等についても前記エアコン取付装置内に美的に収納可能である。加えて、新築時あるいは改築時であれば、家屋内外に足場等も設置されているため、従来のように高所での作業の困難さ等もなくなる。
また、既に開口部が設けられているため、室内機と室外機とを連通接続させる作業が容易である。さらに、前記壁面固定部は前記エアコン取付部によって覆われる形状であるため、室内機と室外機とを連通接続させる後の開口部（貫通孔）およびその周辺における接続配管部の埋め込み施工等の作業が非常に簡略化される。
また、このような構成によれば、壁面内に接続配管部等を連通可能であるため、マンション等を含めた家屋の中部屋を構成する壁面（室外に隣接しない壁面）であっても、比較的容易にエアコン（室内機）を設置することができる。
さらに、このような構成によれば、上述した作用効果が得られるため、家屋壁面の貫通孔穿孔作業にはじまって、壁紙等の美観修復作業等まで、種々の煩雑な作業が必要となる従来技術と比較して、その取り付け作業等にかかる作業時間を大きく削減することができる。
【００２３】
また、本発明の第四態様は、前記第一態様から前記第三態様のいずれかにかかるエアコン取付装置において、前記エアコン取付部の一辺部に略平行に設けられた軸状支持部材を用いて、前記エアコン取付部が、前記壁面固定部に対して回動可能に取り付けられている構成が好ましい。
【００２４】
この好ましい構成によれば、前記第一態様から前記第三態様のいずれかにかかるエアコン取付装置の作用効果に加え、次のような作用効果を得ることができる。
すなわち、このような構成によれば、前記エアコン取付部の一辺部に略平行に設けられた軸状支持部材によって、前記エアコン取付部が前記壁面固定部に対して回動可能であるため、比較的簡単な構造に基づいて、前記エアコン取付部を回動させることができる。例えば、前記エアコン取付部の左端部あるいは右端部に前記軸状支持部材を設ければ、左開きあるいは右開きに前記エアコン取付部を回動させることができる。この際、左端部および右端部のいずれか一方に、前記エアコン取付部の回動状態を制御可能なロック機構（何等かの鍵、錠、ネジ止め機構等）を設けても良い。
【００２５】
また、本発明の第五態様は、上記課題を解決するためになされたものであり、エアコンを取り付ける際のエアコン取付方法であって、前記第一態様から前記第四態様のいずれかにかかるエアコン取付装置を壁面に取り付ける工程と、前記エアコン取付装置に前記エアコンを取り付ける工程とを備えたことを特徴としている。
【００２６】
このような構成によれば、上述した種々の特徴を有するエアコン取付装置を壁面に取り付けた後に、前記エアコン取付装置に対して前記エアコンが取り付けられるため、次のような作用効果を得ることができる。
本発明によれば、事前に、仕上がり前の壁面に対して、エアコン取付装置の取り付けが行われるため（行うことが可能であるため）、エアコンを実際に取り付ける段階においては、家屋を構成する壁面（仕上がり後の壁面）に貫通孔を穿孔する必要がない。本発明によれば、仕上がり前の壁面に対してエアコン取付装置を取り付けても、その後の壁面に対しても壁紙等に関する美観処理を容易に且つ適切に行うことができる。加えて、この貫通孔穿孔作業は、壁面に埋設された電気配線等に配慮しながら、家屋の室内外における高所での作業となるが、本発明によれば、新築時あるいは改築時に、前記エアコン取付装置の取り付けが行われるため、従来技術の場合よりも、足場の確保等が容易となり、比較的簡単に種々の作業を行うことができる。
また、本発明によれば、開口部（貫通孔）を有するエアコン取付装置にエアコンが取り付けられるため、室内機と室外機とを連通接続させる作業や、貫通孔およびその周辺における接続配管部の埋め込み施工等の作業を比較的簡単に行うことができる。
さらに、従来技術にかかるエアコンを設置する際には、通常、完成された家屋の壁面に貫通孔を穿孔して室内機の設置を行うが、本発明によれば、上述したように、新築時あるいは改築時に種々の作業が行われ、その際に取り付けられたエアコン取付装置にエアコンの取り付けが行われるため、室内機設置後、室内機を設置した壁面の壁紙およびその周辺の壁紙について、美観修復作業等を行う必要がない。
また、従来技術によれば、壁面に貫通孔を穿孔し、その貫通孔の近傍の壁面に直接的に室内機が設置されるため、エアコンの修理等を行う場合には、その設置された壁面から室内機を取り外す必要があるが、本発明によれば、室内機を設置した状態でエアコン取付部が回動可能であるため、室内機の状態、接続配管部の状態、あるいは室内機と接続配管部との接続状況等を確認したり修理したりする場合であっても、その都度、室内機の着脱作業という煩雑な作業を行う必要がない。このように室内機の着脱作業が不要であるため、エアコン自身にも壁面にも余計なストレスをかけず、エアコンの調整作業や壁面の美観修復作業等が不要となる。
さらに、従来技術においては、壁面の壁紙の張り替え作業等が必要となった場合、室内機を取り付けた状態のままで、作業が行われる場合が多いが、室内機を取り付けた状態のままでは、その張り替え作業が困難であると共に、良好な仕上がりを得ることができない。これに対し、本発明によれば、エアコン取付装置を介して室内機が取り付けられているため、室内機を取り付けた状態のままでも、より簡単且つ良好に壁紙の張り替え作業等を行うことができる。
また、従来技術によれば、室内機と室外機とを連通接続させる必要があるため、家屋を構成する壁面の中でも、室外に隣接した壁面に室内機を設ける構成とするのが一般的であるが、本発明によれば、どのような位置の壁に対しても、新築時あるいは改築時に事前にエアコン取付装置を取り付けることが可能であるため、マンション等を含めた家屋の中部屋を構成する壁面（室外に隣接しない壁面）についても、比較的容易にエアコン（室内機）を設置することができる。
さらに、従来技術によれば、家屋壁面の貫通孔穿孔作業にはじまって、壁紙等の美観修復作業等まで、種々の煩雑な作業が必要となるため、その取り付け作業等に多くの時間を要するが、本発明によれば、事前に設置されたエアコン取付装置が用いられるため、比較的短時間でエアコンの取り付けを行うことができる。
【発明の効果】
【００２７】
本発明によれば、エアコン取り付け時において、煩雑な作業である貫通孔穿孔作業や接続配管部の埋め込み作業や美観修復作業等を必要とせず、比較的短時間で適切にエアコンを取り付け可能な、エアコン取付装置を得ることができる。また、本発明によれば、家屋の中部屋を構成する壁面（室外に隣接しない壁面）に対して容易にエアコンを取り付け可能な、エアコン取付装置を得ることができる。すなわち、本発明によれば、接続配管部を壁面中に埋め込むことが必要とされる設置条件において、それを簡易に実現することができ、後からエアコンの設置が想定される中部屋に対して、エアコンの設置を可能にするための事前配管等を美的に実現することができる。さらに、本発明によれば、エアコン取り付け後において、室内機等の修理や壁紙の張り替え作業等を容易に行うことが可能である、エアコン取付装置を得ることができる。つまり、本発明によれば、困難または不可能であった室内機裏面での点検修理を簡易に実現することができる。
また、本発明によれば、上述したエアコン取付装置を用いることにより、上述した種々の効果を得ることが可能な、エアコン取付方法を得ることができる。
【図面の簡単な説明】
【００２８】
【図１】本発明の実施形態にかかるエアコン取付装置の概略斜視図を示したものであり、図１（ａ）はエアコン取付部が壁面固定部に収納された状態を示し、図１（ｂ）はエアコン取付部が壁面固定部から回動離脱している状態を示している。
【図２】本発明の実施形態にかかるエアコン取付装置の概略水平断面図を示したものであり、図２（ａ）はエアコン取付部が壁面固定部に収納された状態を示し、図２（ｂ）はエアコン取付部が壁面固定部から回動離脱している状態を示している。
【図３】本発明の実施形態にかかるエアコン取付装置にエアコンを取り付けた状態の概略斜視図を示したものであり、図３（ａ）はエアコン取付部が壁面固定部に収納された状態を示し、図３（ｂ）はエアコン取付部が壁面固定部から回動離脱している状態を示している。
【図４】本発明の実施形態にかかるエアコン取付装置にエアコンを取り付けた状態の概略水平断面図を示したものであり、図４（ａ）はエアコン取付部が壁面固定部に収納された状態を示し、図４（ｂ）はエアコン取付部が壁面固定部から回動離脱している状態を示している。
【図５】本発明の実施形態にかかるエアコン取付装置の使用例を示した概略図であり、具体的には、家屋の中部屋を構成する壁面にエアコン取付装置（およびエアコン）を取り付けた状態を示している。
【発明を実施するための形態】
【００２９】
以下、図面に基づき、本発明の実施形態にかかるエアコン取付装置について説明する。なお、本実施形態にかかるエアコン取付装置は、新築時あるいは改築時において、家屋を構成する壁面に設けられるものである。
【００３０】
図１は、本発明の実施形態にかかるエアコン取付装置の概略斜視図を示したものであり、図１（ａ）はエアコン取付部が壁面固定部に収納された状態を示し、図１（ｂ）はエアコン取付部が壁面固定部から回動離脱している状態を示している。図２は、本発明の実施形態にかかるエアコン取付装置の概略水平断面図を示したものであり、図２（ａ）はエアコン取付部が壁面固定部に収納された状態（図１（ａ）のIIａ−IIａ断面矢視図）を示し、図２（ｂ）はエアコン取付部が壁面固定部から回動離脱している状態（図１（ｂ）のIIｂ−IIｂ断面矢視図）を示している。図３は、本発明の実施形態にかかるエアコン取付装置にエアコンを取り付けた状態の概略斜視図を示したものであり、図３（ａ）はエアコン取付部が壁面固定部に収納された状態を示し、図３（ｂ）はエアコン取付部が壁面固定部から回動離脱している状態を示している。図４は、本発明の実施形態にかかるエアコン取付装置にエアコンを取り付けた状態の概略水平断面図を示したものであり、図４（ａ）はエアコン取付部が壁面固定部に収納された状態（図３（ａ）のIVａ−IVａ断面矢視図）を示し、図４（ｂ）はエアコン取付部が壁面固定部から回動離脱している状態（図３（ｂ）のIVｂ−IVｂ断面矢視図）を示している。図５は、本発明の実施形態にかかるエアコン取付装置の使用例を示した概略図であり、具体的には、家屋の中部屋を構成する壁面にエアコン取付装置（およびエアコン）を取り付けた状態を示している。
【００３１】
これらの図に示すように、本実施形態にかかるエアコン取付装置１は、壁面に固定可能な壁面固定部１０と、エアコンが着脱可能であると共に、壁面固定部１０に対して回動可能に構成されたエアコン取付部３０とを用いて構成されている。図１においては、家屋を構成する壁面が、第一壁板K１、第二壁板K２、およびこれらの壁板K１，K２間に設けられた間柱Hを用いて構成されており、本実施形態にかかるエアコン取付装置１は、壁面を構成する第一壁板K１側に取り付けられている。
【００３２】
本実施形態にかかるエアコン取付装置１を構成する壁面固定部１０は、金属（例えば、ステンレス、アルミニウム、鉄等）を型抜きあるいは溶接等して構成されている。この壁面固定部１０は、その中央部に設けられた矩形の固定部側平板部１１と、この固定部側平板部１１の周囲に設けられた固定部側上端部１２、固定部側下端部１３、固定部側左端部１４、固定部側右端部１５とを用いて構成されている。
【００３３】
また、この固定部側平板部１１は、固定部側上端部１２、固定部側下端部１３、固定部側左端部１４、および固定部側右端部１５よりも凹んだ状態に構成されており、この凹んだ領域が、凹部領域１０Ａを形成している。この凹部領域１０Ａは、後述するエアコン取付部３０および接続配管部Ｐを収納可能な所定の深さを有する形状および寸法に構成されている。
【００３４】
さらに、この固定部側平板部１１には、楕円形の固定部側第一開口部２１と固定部側第二開口部２２とが設けられている。これらの開口部２１，２２は、本発明の「固定部側開口部」に相当する。これらの開口部２１，２２は、第一壁板Ｋ１と第二壁板Ｋ２との間に形成された壁板間領域ＫＭ（本発明の「壁面内」に相当）に連通し、後述するエアコンに設けられた冷媒配管やドレン配管等（本発明の「配管や電気配線等」に相当）から成る接続配管部を挿入可能であるような形状および寸法に構成されている。具体的には、例えば、室外機設置予定箇所（あるいはその近傍）まで連通した連通配管部（図示省略）が壁板間領域ＫＭ内に設けられ、この連通配管部とそれぞれの開口部２１，２２（あるいはいずれかの開口部）とが連通すべく構成されている。
【００３５】
また、本実施形態においては、図２および図４に示すように、壁面固定部１０の外側形状に対応した大きさの開口部が第一板壁Ｋ１に設けられ、その開口部に壁面固定部１０を嵌合させるようにして、壁面固定部１０が壁面に取り付けられている。さらに、壁面固定部１０を壁面に取り付ける場合には、壁面固定部１０の各構成要素１１，１２，１３，１４，１５を間柱Ｈに強固に固定するために、接着剤、釘、ボルト等の固着部材（図示省略）が用いられる。すなわち、これらの固着部材を用いることによって、壁面固定部１０が間柱Ｈに対して強固に固定されることとなる。この際には、後に取り付けられるエアコンの重量等を考慮して、使用する固着部材や、その数量等を決定する。
【００３６】
次に、本実施形態にかかるエアコン取付装置１を構成するエアコン取付部３０は、壁面固定部１０と同様、金属（例えば、ステンレス、アルミニウム、鉄等）を型抜きあるいは溶接等して構成されている。このエアコン取付部３０は、その中央部に設けられた矩形の取付部側平板部３１と、この取付部側平板部３１の周囲に、その端部から略垂直に延設された取付部側上端部３２、取付部側下端部３３、取付部側左端部３４、取付部側右端部３５とを用いて構成されている。
【００３７】
また、このエアコン取付部３０は、前述した壁面固定部１０に形成された凹部領域１０Ａに収納されるべく、その外形が形成されている。すなわち、本実施形態においては、矩形状に凹んだ状態の凹部領域Ａに対応すべく、エアコン取付部３０の外形が定められている。さらに、本実施形態においては、エアコン取付部３０が壁面固定部１０の凹部領域１０に収納される際、エアコン取付部３０と壁面固定部１０とが面一状態となるように、エアコン取付部３０の外形および壁面固定部１０の凹部領域１０Ａが構成されている。より具体的には、エアコン取付部３０を成す取付部側平板部３１と、凹部領域１０Ａの周囲に設けられた固定部側上端部１２、固定部側下端部１３、固定部側左端部１４、および固定部側右端部１５の表面部（屋内側の表面部）とが、凹部領域１０Ａにエアコン取付部３０を収納した際に、フラット面（面一状態）を形成するように構成されている（例えば、図２（ａ）および図４（ａ）等参照）。
【００３８】
また、このエアコン取付部３０を構成する取付部平板部３１には、楕円形の取付部側第一開口部４１と取付部側第二開口部４２とが設けられている。これらの開口部４１，４２は、本発明の「取付部側開口部」に相当する。これらの開口部４１，４２は、後述するエアコンに設けられた冷媒配管やドレン配管等（本発明の「配管や電気配線等」に相当）から成る接続配管部を挿入可能であるような形状および寸法に構成されている。
【００３９】
さらに、このエアコン取付部３０は、取付部側左端部３４（本発明の「一辺部」に相当）に略平行に設けられた軸状支持部材５０を用いて、壁面固定部１０に回動可能に取り付けられている。また、このエアコン取付部３０は、壁面固定部１０から回動可能となるように、その端部に若干の面取り部を設けている。この面取り部は、壁面固定部１０とエアコン取付部３０との相互の関係に基づき、回動可能であるように、適宜その寸法が定められる。また、この面取り部には、アール（Ｒ）を設けるような構成としてもよい。
【００４０】
本実施形態にかかるエアコン取付部３０は、上記のように、その一辺部（取付部側左端部３４）に略平行に設けられた軸状支持部材５０にて壁面固定部１０に取り付けられているため、軸状支持部材５０を中心に、図１〜図４に示すように、Ｘ方向に回動可能となる。
【００４１】
さて、本実施形態にかかるエアコン取付装置１は、上述したように構成されており、このエアコン取付装置１を用いて適切にエアコンの取り付けを行うことによって、種々の効果を得ることができる。以下、本実施形態にかかるエアコン取付装置の使用方法およびその作用効果等について説明する。
【００４２】
まず、本実施形態においては、新築時あるいは改築時に、家屋を構成する任意の壁面に対して、図１等にて示されたエアコン取付装置１の取り付けが行われる。この際、エアコン取付装置１が取り付けられる壁面内においては、室外機（図示省略）設置予定の屋外とを連通すべく、配管等の埋め込み作業が行われる。このエアコン取付装置１の取り付け、および壁面内における配管等埋め込み作業は、エアコンが取り付けられる可能性がある任意の壁面に対して行われ、このように事前に本実施形態にかかるエアコン取り付け装置１の取り付け等が行われることによって、従来技術における種々の問題を解決することができる。
【００４３】
本実施形態によれば、新築後あるいは改築後、上述したように、エアコンが取り付けられる可能性がある壁面に対して、エアコン取付装置１の設置（および配管等埋め込み作業）が完了している。この際、エアコン取付装置１に設けられた開口部２１，２２，４１，４２については、目隠し板（図示省略）等の閉塞部材にて、すべての開口部２１，２２，４１，４２が閉塞された状態となっている。この目隠し板等の閉塞部材は、実際にエアコンの設置が行われる際に、簡単に取り外すことが可能であるように構成されている。
【００４４】
上述したように、本実施形態においては、エアコンが設置される可能性のある壁面については、予めエアコン取付装置１が設けられている。そして、このエアコン取付装置１表面（エアコン取付部３０の取付部側平板部３１表面）およびその周辺については、仮にエアコンが設置されない場合であっても、壁面に設けられた壁紙等との違和感がないような美観処理が施されている。具体的には、例えば、エアコン取付装置１表面が、壁紙等と同系色の色に仕上げられている。
【００４５】
本実施形態にかかるエアコン取付方法においては、先に説明したように、まずは、図１および図２に示すように、壁面に対して事前にエアコン取付装置１の取り付けが行われる。そして、必要に応じて、このエアコン取付装置１に対してエアコンの取り付けが行われる。
【００４６】
エアコン取付装置１に対するエアコンの取り付けを行う場合、図３および図４に示すように、そのエアコンを構成する室内機Ｃが、エアコン取付部３０の取付部側平板部３１に取り付けられる。この際、室内機Ｃと室外機（図示省略）との間に設けられる接続配管部Ｐ（本発明の「配管や電気配線等」に相当）は、取付部側平板部３１に設けられた開口部４１，４２のいずれかに挿入される。本実施形態においては、取付部側第一開口部４１に接続配管部Ｐが挿入される場合を示している。
【００４７】
室内機Ｃ（と室外機との間）に設けられる接続配管部Ｐは、取付部側平板部３１の取付部側第一開口部４１を介して、壁面固定部１０の固定部側平板部１１に形成された固定部側第一開口部２１に挿入され、壁面内（壁板間領域ＫＭ）に設けられた連通配管部（図示省略）を経て、室外機に連通される。この際、本実施形態においては、取付部側第一開口部４１と固定部側第一開口部２１との間に配設される接続配管部Ｐは、エアコン取付部３０（を成す取付部側平板部３１）と壁面固定部１０（を成す固定部側平板部１１）との間に形成される空間に収容されることとなる（図４（ａ）等参照）。また、エアコン設置前においては、接続配管部のみが施工され、この接続配管部は、エアコン取付部３０と壁面固定部１０との間に形成される空間に収納される。
【００４８】
本実施形態においては、回動可能に構成されたエアコン取付部３０の回転中心部近傍（軸状支持部材５０近傍）に設けられた壁面固定部１０側の開口部（固定部側第一開口部２１）と、この固定部側第一開口部２１と略同様の高さに位置する開口部（取付部側第一開口部４１）とが、接続配管部Ｐを挿入するための開口部として用いられる。このような位置関係にある開口部２１，４１が用いられるのは、必要に応じてエアコン取付部３０を回動させる際に、接続配管部Ｐに余計な負荷をかけることがないようにするためである。
【００４９】
つまり、本実施形態にかかるエアコン取付装置１は、壁面に固定可能な壁面固定部１０と、エアコン（室内機Ｃ）が着脱可能であると共に、壁面固定部１０に対して回動可能に構成されたエアコン取付部３０とを備え、エアコン取付部３０の一辺部に略平行に設けられた軸状支持部材５０を用いて、エアコン取付部３０が、壁面固定部１０に対して回動可能に取り付けられており、壁面固定部１０には、軸状支持部材５０の近傍位置であると共に、壁面内に設けられた連通配管部（あるいは配管や電気配線等）に連通可能である固定部側開口部（本実施形態においては固定部側第一開口部２１）が設けられる構成であることが好ましい。
この好ましい構成によれば、上述したように、室内機Ｃを取り付けたままでエアコン取付部３０を回動させても、接続配管部Ｐに余計なストレスがかからないという効果を得ることができる。
【００５０】
以下、より具体的に作用効果を説明する。
【００５１】
本実施形態にかかるエアコン取付装置１によれば、エアコン取付部３０が壁面固定部１０に回動可能に構成されているため、エアコン取付部３０に室内機Ｃを取り付けた後であっても、室内機Ｃを取り付けた状態でエアコン取付部３０を回動させることによって、室内機Ｃの状態、接続配管部Ｐの状態、あるいは室内機Ｃと接続配管部Ｐとの接続状況等を容易に確認したり修理したりすることができる。つまり、本実施形態によれば、修理等を行う際において、室内機Ｃの着脱作業等の煩雑な作業が不要となる。
【００５２】
また、本実施形態にかかるエアコン取付装置１によれば、エアコン取り付けの際に、直接的に壁面に室内機Ｃを取り付けるわけではなく、エアコン取付装置１を介して、室内機Ｃが取り付けられる。つまり、このような構成によれば、事前に取り付けられたエアコン取付装置１を介して室内機Ｃが取り付けられるため、室内機Ｃ取り付け後、室内機Ｃを設置した壁面の壁紙およびその周辺の壁紙について、特に美観修復作業等を行う必要がない。
【００５３】
さらに、壁紙の張り替え作業が必要となった場合でも、本実施形態によれば、壁面に設けられたエアコン取付装置１を介して室内機Ｃが取り付けられているため、従来のように壁面に直接的に室内機が取り付けられた場合よりも、比較的容易に壁紙の張り替え作業等を行うことができ、その仕上がり状態も従来よりも良好となる。
【００５４】
また、本実施形態にかかるエアコン取付装置１によれば、壁面固定部１０の凹部領域Ａ内にエアコン取付部３０が面一状態で収納可能であるため、エアコンの取り付け状態に関わらず（室内機Ｃの取り付けの有無に関わらず）、壁面およびその周辺を美観状態を良好に保つことができる。
【００５５】
さらに、本実施形態によれば、新築時あるいは改築時にエアコン取付装置１を設け、壁面固定部１０およびエアコン取付部３０には、それぞれ開口部２１，２２，４１，４２が設けられているため、エアコン設置時において、家屋を構成する壁面に貫通孔を穿孔する必要がない。つまり、貫通孔穿孔作業という煩雑な作業が不要となる。新築時あるいは改築時であれば、家屋内外に足場等も設置されているため、従来のように高所での作業の困難さ等もなくなる。
【００５６】
また、本実施形態によれば、既に開口部２１，２２，４１，４２が設けられているため、室内機Ｃと室外機とを連通接続させる作業が容易である。さらに、壁面固定部１０はエアコン取付部３０によって覆われる形状であるため、室内機Ｃと室外機とを連通接続させる後の開口部およびその周辺における接続配管部の埋め込み施工等の作業が非常に簡略化される。
【００５７】
また、室内機には標準的に接続配管が約０．４ｍ付属し、従来技術によれば、室内機を仮取り付けした状態で、室内機本体と壁面との狭い空間において、室内機下部を壁面から浮かせながら配管接続作業等が行われる。しかしながら、本実施形態によれば、エアコン取付装置１を壁面に設け、このエアコン取付装置１（エアコン取付部３０）に室内機を取り付ける構成であるため、エアコン取付部３０を回動させ、より広い作業空間を確保しながら、配管接続作業等を行うことができる。
【００５８】
また、本実施形態によれば、壁面内に接続配管部等を連通可能である連通配管部（図示省略）が設けられるため、マンション等を含めた家屋の中部屋を構成する壁面（室外に隣接しない壁面）であっても、比較的容易にエアコン（室内機）を設置することができる（図５参照）。
【００５９】
ここで、図５は、本実施形態にかかるエアコン取付装置１の使用例を示した概略図であり、家屋の中部屋を構成する中部屋構成壁面ＮＫにエアコン取付装置１（およびエアコンを構成する室内機Ｃ）を取り付けた状態を示している。この図５に示すように、本実施形態によれば、中部屋構成壁面ＮＫに室内機を設置する場合でも、適切に接続配管部Ｐ等を収めることが可能であるため、壁面および室内の美感を損なうことがない。
【００６０】
さらに、本実施形態によれば、エアコン取付部３０の一辺部に略平行に設けられた軸状支持部材５０によって、エアコン取付部３０が壁面固定部１０に対して回動可能であるため、比較的簡単な構造に基づいて、エアコン取付部３０を回動させることができる。例えば、エアコン取付部３０の左端部あるいは右端部に軸状支持部材５０を設ければ、左開きあるいは右開きにエアコン取付部３０を回動させることができる（本実施形態においては、左端部に設けられている）。この際、左端部および右端部のいずれか一方に、エアコン取付部３０の回動状態を制御可能なロック機構（何等かの鍵、錠等）を設けてもよい。
【００６１】
また、本実施形態によれば、上述した種々の作用効果が得られるため、家屋壁面の貫通孔穿孔作業にはじまって、壁紙等の美観修復作業等まで、種々の煩雑な作業が必要となる従来技術と比較して、その取り付け作業等にかかる作業時間を大きく削減することができる。さらに、従来技術と比較して、家屋を構成する壁面の美感をより効果的に維持することができる。
【００６２】
＜その他の実施形態＞
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００６３】
上記実施形態においては、エアコン取付装置１が、金属を用いて構成される場合について説明したが、本発明はこの構成に限定されるものではなく、壁面に適切に取り付け可能であると共に、エアコンの重量に耐え得る剛性を有するものであれば、どのような材料を用いて構成してもよい。したがって、例えば、木材、樹脂材料、あるいは金属を含めた複合材料を用いてエアコン取付装置を構成してもよい。
【００６４】
また、上記実施形態においては、接続配管部Ｐを挿入する開口部として、固定部側第一開口部２１と取付部側第一開口部４１とを使用する場合について説明したが、本発明はこの構成に限定されず、必要に応じて（室内機の構成に応じて（特に接続配管部の取付位置等に応じて））、固定部側第二開口部２２や取付部側第二開口部４２を使用してもよい。さらに、当然のことながら、予め設けられた開口部ではその位置に不具合がある場合には、必要に応じて（すなわちその室内機の構成等に応じて）、固定部側平板部１１および取付部側平板部３１の少なくとも一方の適切な位置に新たな開口部を設けてもよい。
【００６５】
また、上記実施形態においては、軸状支持部材５０が、取付部側左端部３４近傍に設けられる場合について説明したが、本発明はこの構成に限定されず、回動可能な構成であれば、エアコン取付部３０の他の一辺部に軸状支持部材５０を設けてもよい。なお、軸状支持部材５０の位置を変更する場合には、その変更位置に応じて、壁面固定部１０側に設けられている開口部の位置も変更することが好ましい。その理由は、先にも説明した通り、エアコン取付部３０の回動中心位置近傍（すなわち、軸状支持部材５０近傍）に接続配管部Ｐを挿入する開口部（本実施形態によれば固定部側第一開口部２１）を設ければ、エアコン取付部３０の回動時において、接続配管部Ｐに対するストレスを低減させることができるからである。
【００６６】
さらに、上記実施形態においては、エアコン取付装置１が、事前に（完成前の）壁面に取り付けられる場合について説明したが、本発明は、この構成に限定されない。したがって、例えば、完成された壁面に（外部に接する壁面に）エアコンを取り付ける際に、本発明にかかるエアコン取付装置１を介してエアコン（を構成する室内機）を取り付ける構成としてもよい。このような構成であっても、エアコン取り付け後の修理・点検等に関する効果や、壁紙張り替え時に関する効果等、先に説明した種々の効果を得ることができる。この場合には、接続配管部の壁面への埋め込みは行わず、接続配管部は、エアコン取付装置１および壁面（に設けられた貫通孔）を通って、直接屋外へ取り出してもよい。
このように、接続配管部の壁面への埋め込みを行わず、接続配管部を直接屋外へ取り出す場合には、図１等に示したエアコン取付装置１を天地逆にし、開口部２２，４２が、右下に位置するように使用してもよい。このような構成とすれば、室内機と室外機との間に設けられた接続配管部Ｐは、それぞれの開口部２２，４２および壁面に設けられた貫通孔を通って屋外に取り出される。
【００６７】
また、上記実施形態においては、エアコン取付装置１に設けられた二つの開口部２１，４１が使用される場合について説明したが、本発明はこの構成に限定されない。したがって、例えば、それぞれの開口部２１，２２，４１，４２が、必要に応じて、ドレン配管用、冷媒配管用、あるいは電線類用のように使用されてもよい。
【産業上の利用可能性】
【００６８】
従来技術においては、エアコンの取り付けの際には、家屋壁面に対する貫通孔穿孔作業にはじまって、壁紙等の美観修復作業等まで、種々の煩雑な作業が必要であった。
しかしながら、本発明にかかるエアコン取付装置およびこれを用いたエアコン取付方法によれば、煩雑な作業である貫通孔穿孔作業や接続配管部の埋め込み作業や美観修復作業等を必要とせず、比較的短時間で適切にエアコンを取り付け可能な、エアコン取付装置およびエアコン取付方法を得ることができる。
また、本発明にかかるエアコン取付装置によれば、エアコン等の故障時においても、室内機の着脱作業等の煩雑な作業が不要となる。
さらに、本発明にかかるエアコン取付装置によれば、壁紙の張り替え作業が必要となった場合でも、壁面に設けられたエアコン取付装置を介して室内機が取り付けられているため、従来のように壁面に直接的に室内機が取り付けられた場合よりも、比較的容易に壁紙の張り替え作業等を行うことができ、その仕上がり状態も従来よりも良好となる。
【符号の説明】
【００６９】
１…エアコン取付装置
１０…壁面固定部
１０Ａ…凹部領域
１１…固定部側平板部
１２…固定部側上端部
１３…固定部側下端部
１４…固定部側左端部
１５…固定部側右端部
２１…固定部側第一開口部（固定部側開口部）
２２…固定部側第二開口部（固定部側開口部）
３０…エアコン取付部
３１…取付部側平板部
３２…取付部側上端部
３３…取付部側下端部
３４…取付部側左端部
３５…取付部側右端部
４１…取付部側第一開口部（取付部側開口部）
４２…取付部側第二開口部（取付部側開口部）
５０…軸状支持部材
Ｃ…エアコン（室内機）
Ｈ…間柱
Ｋ１…第一壁板
Ｋ２…第二壁板
ＫＭ…壁板間領域
ＮＫ…中部屋構成壁面
Ｐ…接続配管部
【図１】
2011033248.tif 000003
【図２】
2011033248.tif 000004
【図３】
2011033248.tif 000005
【図４】
2011033248.tif 000006
【図５】
2011033248.tif 000007